(57)【要約】【課題】印刷時における記録媒体の汚染を防止し、印刷上の信頼性を高めることができるインクジェット式記録装置を提供すること。【解決手段】印字領域と非印字領域との間を往復するキャリッジ１と、このキャリッジ１に装着されインクを吐出するノズル形成面１２ａを有する記録ヘッド１２と、この記録ヘッド１２の移動経路下方に配置されキャリッジ１の往復方向と直角な方向に記録用紙６を案内する用紙ガイド台５１とを備え、この用紙ガイド台５１のガイド部近傍に、記録用紙６の上下両端縁および左右両端縁に対する印字状態においてノズル形成面１２ａからのインクを受けるインク受面５２ａを有する回転ローラ５２を配置した構成とされる。【選択図】　　　図２
2004050406.tif 000002
【特許請求の範囲】
【請求項１】
印字領域と非印字領域との間を往復するキャリッジと、
このキャリッジに装着され、インクを吐出するノズル形成面を有するインクジェット式の記録ヘッドと、
この記録ヘッドの移動経路下方に配置され、前記キャリッジの往復方向と直角な方向に記録媒体を案内するガイド部を有するガイド部材とを備え、
このガイド部材のガイド部近傍に、記録媒体の上下両端縁および左右両端縁に対する印字状態において前記ノズル形成面からのインクを受けるインク受面を有するインク受けを配置し、
このインク受けは移動部材によって形成されている
ことを特徴とするインクジェット式記録装置。
【請求項２】
前記インク受けが回転ローラからなることを特徴とする請求項１に記載されたインクジェット式記録装置。
【請求項３】
前記インク受けが移動ベルトからなることを特徴とする請求項１に記載されたインクジェット式記録装置。
【請求項４】
前記インク受面が前記ノズル形成面と平行であることを特徴とする請求項３に記載されたインクジェット式記録装置。
【請求項５】
前記インク受けを、記録媒体の搬送方向に所定の間隔をもって並列する二つの第一インク受けおよびこれら両第一インク受け間に介在する二つの第二インク受けによって構成し、
このうち両第二インク受けが、前記ガイド部材と共に記録媒体を案内する補助ガイド部材を介して前記記録ヘッドの移動方向に並設されている
ことを特徴とする請求項１乃至請求項４のいずれかに記載されたインクジェット式記録装置。
【請求項６】
前記インク受面に付着したインクを掻き落とすためのブレイドを有することを特徴とする請求項１乃至請求項５のいずれかに記載されたインクジェット式記録装置。
【請求項７】
前記インク受けの駆動手段が、記録媒体を搬送するための紙送り手段であることを特徴とする請求項１乃至請求項６のいずれかに記載されたインクジェット式記録装置。
【請求項８】
前記インク受けがインク吸収部材によって形成されていることを特徴とする請求項１乃至請求項７のいずれかに記載されたインクジェット式記録装置。
【発明の詳細な説明】
【０００１】
【発明の属する技術分野】
本発明は、印刷データに基づいてインク滴を吐出する記録ヘッドを備えたインクジェット式記録装置に関する。
【０００２】
【従来の技術】
インクジェット式記録装置には、記録媒体における上下両端縁および左右両端縁の余白を無くして印刷（縁無し印刷）を実行することができるものが知られている。
このようなインクジェット式記録装置においては、記録媒体の縁無し印刷が実行されるように、印刷時の記録ヘッドの走査範囲および記録媒体の搬送範囲が通常の印刷（縁有り印刷）の場合と比べて共に広い範囲とされる。
【０００３】
このため、印刷時において、記録ヘッドにあっては、記録媒体の左右両端縁よりヘッド移動方向外側にはみ出る二位置間を主走査方向に移動される。一方、記録媒体にあっては、その上端縁がインク受け取り位置（記録ヘッドの下方領域）に到達してから、下端縁がインク受け取り位置を通過するまでの間を副走査方向（主走査方向と直角な方向）に搬送される。
【０００４】
そして、記録媒体における上下両端縁および左右両端縁から外側にはみ出して吐出されるインク滴により、記録媒体を案内するガイド部材が汚染されないために、ガイド部材の所定位置にインク滴の受け孔が配設されるとともに、この受け孔内にインク受けとしてのインク吸収部材が配置される。
【０００５】
【発明が解決しようとする課題】
ところで、前記したインクジェット式記録装置においては、縁無し印刷を多用すると、受け孔内のインク吸収部材上にインクが多量に蓄積され、インク吸収部材におけるインク滴の吸収能力に限界が生じる。
このように、インク滴の吸収能力に限界が生じた場合には、インク吸収部材上にインクが溜まり、これにより印刷時に記録媒体（裏面全体）が汚染され、印刷上の信頼性が低下するという課題があった。
【０００６】
このことは、特に印刷用のインクとして顔料インクが用いられる場合に顕著である。すなわち、顔料インクにおける色材の粒子径が染料インクのそれより大きいため、インク吸収部材上に顔料インクが蓄積されると、そのインク溜まりが染料インクと比べてより発生し易くなるからである。
【０００７】
本発明は、このような技術的課題を解決するためになされたもので、印刷時に記録媒体の汚染を防止することができ、もって印刷上の信頼性を高めることができるインクジェット式記録装置を提供することを目的とする。
【０００８】
【課題を解決するための手段】
前記した目的を達成するためになされた本発明に係るインクジェット式記録装置は、印字領域と非印字領域との間を往復するキャリッジと、このキャリッジに装着され、インクを吐出するノズル形成面を有するインクジェット式の記録ヘッドと、この記録ヘッドの移動経路下方に配置され、前記キャリッジの往復方向と直角な方向に記録媒体を案内するガイド部を有するガイド部材とを備え、このガイド部材のガイド部近傍に、記録媒体の上下両端縁および左右両端縁に対する印字状態において前記ノズル形成面からのインクを受けるインク受面を有するインク受けを配置し、このインク受けは移動部材によって形成されていることを特徴とする。
【０００９】
このように構成されているため、インク受けのインク受面上に記録ヘッドからのインクを受けることができる。この場合、インク受けを移動させると、インク受面上のインク受け取り位置が可変される。
したがって、インク受け上のインク溜まりを回避することができるため、印刷時に記録媒体の汚染を防止することができ、印刷上の信頼性を高めることができる。
【００１０】
ここで、前記インク受けが、回転ローラまたは移動ベルトからなることが望ましい。
このように構成されているため、回転ローラを回転させながら、または移動ベルトを移動させながら、各インク受面上において記録ヘッドからのインクを受けることができる。
【００１１】
また、前記インク受面が前記ノズル形成面と平行であることが望ましい。
このように構成されているため、記録ヘッドからインクを受けることによるインクミストの飛散発生が確実に防止される。
【００１２】
さらに、前記インク受けを、記録媒体の搬送方向に所定の間隔をもって並列する二つの第一インク受けおよびこれら両第一インク受け間に介在する二つの第二インク受けによって構成し、このうち両第二インク受けが、前記ガイド部材と共に記録媒体を案内する補助ガイド部材を介して前記記録ヘッドの移動方向に並設されていることが望ましい。
このように構成されているため、記録媒体が弾力性に乏しい材料であっても、記録媒体を補助ガイド部材によって案内しながら、記録媒体の上下両端縁および左右両端縁の印刷を実行することができる。
【００１３】
そして、前記インク受面に付着したインクを掻き落とすためのブレイドを有することが望ましい。
このように構成されているため、インク受けにおけるインク受面上のインクがブレイドによって掻き落とされ、インク受面上のインク溜まりの発生を確実に防止することができる。
【００１４】
さらに、前記インク受けの駆動手段が、記録媒体を搬送するための紙送り手段であることが望ましい。
このように構成されているため、インク受けを移動させるための専用の駆動手段が不要となり、部品点数を削減してコストの低廉化を図ることができる。
【００１５】
そして、前記インク受けがインク吸収部材によって形成されていることが望ましい。
このように構成されているため、インク受面上において記録ヘッドからのインクを受けると、このインクがインク受けによって吸収される。
【００１６】
【発明の実施の形態】
以下、本発明が適用されたインクジェット式記録装置につき、図に示す実施の形態に基づいて説明する。図１は、インクジェット式記録装置の全体構成の概略を示す斜視図である。
図１において、符号１で示すキャリッジは、キャリッジモータ２によって駆動されるタイミングベルト３を介し、ガイドロッド４に案内されてプラテン５の軸方向に往復移動し得るように構成されている。
【００１７】
なお、前記ガイドロッド４は、互いに対向する左右二つのフレーム３１，３２に支架されている。両フレーム３１，３２は背面板３３および底板３４によって連結されている。
【００１８】
前記キャリッジ１の下面部（記録用紙６に対向する側）にはインクジェット式の記録ヘッド１２が装着され、またその上面部には記録ヘッド１２にインクを供給するブラックインクカートリッジ７およびカラーインクカートリッジ８が着脱可能に保持されている。
【００１９】
前記キャリッジ１の非印字領域（ホームポジション）にはキャッピング手段９が配置されている。このキャッピング手段９（キャップ）は前記記録ヘッド１２が直上に移動した時に上昇し、前記記録ヘッド１２のノズル形成面１２ａを封止し得るように構成されている。キャッピング手段９の下方（側方）には、キャップの内部空間に負圧を与えるためのポンプユニットとしての吸引ポンプ（チューブポンプ）１０が配置されている。
【００２０】
前記キャッピング手段９は、インクジェット式記録装置の休止期間中における前記記録ヘッド１２のノズル開口の乾燥を防止する蓋体としての機能を備えている。また、印刷とは関係のない駆動信号を前記記録ヘッド１２に印加してインク滴を空吐出させるフラッシング動作時のインク受けとしての機能、および前記チューブポンプ１０からの負圧を前記記録ヘッド１２に作用させてインクを吸引排出するためのクリーニング手段としての機能も兼ね備えている。
【００２１】
そして、キャッピング手段９における印字領域側部の近傍には、ワイピング手段１１が前記記録ヘッド１２の移動経路と直角な水平方向に進退可能となるように配置されている。
なお、前記ワイピング手段１１の移動動作と前記チューブポンプ１０の吸引動作には、記録用紙６を搬送する紙送りモータ（図示せず）の駆動力が利用される。
【００２２】
次に、本発明が適用されたインクジェット式記録装置の要部につき、図２〜図４を用いて説明する。図２は、本発明の第一実施形態に係るインクジェット式記録装置の全体構成の概略を示す断面図である。図３は、図２のインクジェット式記録装置に用いられる記録媒体のガイド部材を示す平面図である。図４（ａ）および（ｂ）は、本発明の第一実施形態に係るインクジェット式記録装置の要部を示す断面図とそのインク受けを示す斜視図である。
図２において、符号１で示すキャリッジは、前記したようにガイドロッド４に案内され、用紙ガイド台５１に対向して平行に印字領域と非印字領域との間を往復移動し得るように構成されている。
【００２３】
なお、前記キャリッジ１の主走査（往復動作）において記録ヘッド１２による印字が行われるが、この印字が行われる用紙ガイド台５１上の領域を「印字領域」と呼ぶ。これに対して、印字が行われない領域を「非印字領域」と呼ぶ。
【００２４】
前記用紙ガイド台５１は、全体が下方に開口する角形箱体からなり、前記記録ヘッド１２の移動経路下方に配置されている。そして、記録用紙６を副走査方向に案内するように構成されている。この用紙ガイド台５１には、図３に示すように、主走査方向に沿ってガイド部２１，２２がそれぞれ複数個突設されている。
【００２５】
前記ガイド部２１は、記録用紙６の搬送方向上流側に配置されている。これらガイド部２１には、記録用紙６の搬送方向に沿って上昇する傾斜面２１ａが形成されている。一方、前記ガイド部２２は、記録用紙６の搬送方向下流側（ガイド部２１の下流側）に配置されている。これらガイド部２２には、記録用紙６の搬送方向に沿って上昇する傾斜面２２ａおよびこの傾斜面２２ａに連接する頂面２２ｂが形成されている。これにより、上流側から供給される記録用紙６は、各ガイド部２２の頂面２２ｂ上を走査するようになされ、記録ヘッド１２との間で所定のペーパギャップが形成されるように構成されている。前記各ガイド部２１，２２の近傍には、前記記録ヘッド１２から吐出されるインク滴を受けるための貫通孔（受け孔）２０Ａ，２０Ｂ１，２０Ｂ２が設けられている。
【００２６】
前記貫通孔２０Ａは、記録用紙６における左右両端縁の印刷に対応し、主走査方向に所定の間隔をもって複数個配置されている。そして、記録用紙６の左右はみ出し印刷（縁無し印刷）を実行する場合に、図３に示すホームポジション側（図中右側）の貫通孔２０Ａの略中央部を基準位置とし、この位置に記録用紙６の右端を合致させるように構成されている。同時に、図３における左側の貫通孔２０Ａの略中央位置に記録用紙６の左端を合致させるように構成されている。なお、この左側の貫通孔２０Ａは、記録用紙６の幅サイズに応じて決定される。
【００２７】
一方、前記貫通孔２０Ｂ１，２０Ｂ２は、記録用紙６における上下両端縁の印刷に対応し、前記貫通孔２０Ａにおける記録用紙６の搬送方向下流側と搬送方向上流側にそれぞれ配置されている。そして、記録用紙６の上下はみ出し印刷を実行する場合に、記録用紙６の搬送方向下流側に配置された貫通孔２０Ｂ１の略中央位置に記録用紙６の上端を合致させるように構成されている。同時に、記録用紙６の搬送方向上流側に配置された貫通孔２０Ｂ２の略中央位置に記録用紙６の下端を合致させるように構成されている。
【００２８】
前記用紙ガイド台５１内には、インク受けとしての回転ローラ５２が矢印ｍ方向（図４（ａ）に図示）に回転自在に配置されている。この回転ローラ５２は、前記貫通孔２０Ａ，２０Ｂ１，２０Ｂ２内に一部が臨むインク受面５２ａを有している。そして、記録用紙６の上下・左右はみ出し印刷を実行する場合に、前記ノズル形成面１２ａ（ノズル開口）からのインク滴をインク受面５２ａ上で受けるように構成されている。すなわち、貫通孔２０Ａ内に一部が臨むインク受面５２ａは、記録用紙６の左右にはみ出した位置で記録ヘッド１２から吐出されるインク滴を受けるようになされる。一方、貫通孔２０Ｂ１内に一部が臨むインク受面５２ａは、記録用紙６の上端縁が通過する際、この上端縁をはみ出した位置で記録ヘッド１２から吐出されるインク滴を受けるようになされる。また、貫通孔２０Ｂ２内に一部が臨むインク受面５２ａは、記録用紙６の下端縁が通過する際、この下端縁をはみ出した位置で記録ヘッド１２から吐出されるインク滴を受けるようになされる。
【００２９】
また、前記回転ローラ５２は、ウレタンフォーム等の多孔質性部材からなるインク吸収体によって形成されている。そして、記録ヘッド１２から吐出されるインク滴をインク受面５２ａで受けて吸収するように構成されている。
【００３０】
前記回転ローラ５２の駆動手段には、前記吸引ポンプ１０および前記ワイピング手段１１の駆動手段と同様に紙送りモータ（図示せず）が利用される。このため、前記回転ローラ５２は、図４（ａ）に示すように、給紙ローラ３５に伝達ベルト３６を介して連結され、紙送りモータによって給紙ローラ３５と同期して回転するように構成されている。これにより、回転ローラ５２を回転させるための専用の駆動手段が不要となり、部品点数を削減してコストの低廉化を図ることができる。
【００３１】
なお、図４（ａ）において、前記給紙ローラ３５の近傍には押さえローラ３７が配置されている。これにより、給紙時に給紙ローラ３５に添接して回動し、給紙ローラ３５と共に記録用紙６を挟圧しつつ供給するように構成されている。
【００３２】
また、前記用紙ガイド台５１内には、前記インク受面５２ａに先端部を押圧接触させるブレイド５３が取り付けられている。このブレイド５３は、インク受け取り位置から前記回転ローラ５２の回転方向に所定の間隔をもって離間する位置（インク掻き落とし位置）付近に配置されている。そして、前記インク受面５２ａ上に付着したインクを掻き落とすように構成されている。これにより、インク受面５２ａ上のインクがインク掻き落とし位置において掻き落とされ、インク積もり（インク溜まり）の発生を確実に防止することができる。
【００３３】
さらに、前記用紙ガイド台５１には、図３に示すように、排紙ローラユニットを構成する駆動ローラ２３および従動ローラ２４が回転自在に配置されている。
これにより、用紙ガイド台５１の上面に沿って搬送される記録用紙６を挟圧しつつ排出し得るように構成されている。
【００３４】
そして、前記用紙ガイド台５１の下方には、図２に示すように、前記吸引ポンプ１０のポンプチューブ１０ａを介して接続する廃液タンク５４が配置されている。そして、回転ローラ５２およびキャッピング手段９からのインクを収容するように構成されている。これにより、キャッピング手段９および回転ローラ５２からの廃インクが共通の廃液タンク５４に排出され、部品点数を削減してコストの低廉化を図ることができる。前記廃液タンク５４内には、インクを吸収・保持するウレタンフォーム等の多孔質性部材からなるインク吸収保持体５５が収容されている。
【００３５】
以上の構成により、記録用紙上下の縁無し印刷を実行する場合には、記録用紙６の上端縁が貫通孔２０Ｂ１の上方を通過するに際し、その上端縁からはみ出す位置に記録ヘッド１２からインク滴が吐出される。この場合、記録ヘッド１２からのインク滴は、貫通孔２０Ｂ１内に臨むインク受面５２ａ上に向かって飛翔する。また、記録用紙６の下端縁が貫通孔２０Ｂ２の上方を通過するに際しては、その下端縁からはみ出す位置に記録ヘッド１２からインク滴が吐出される。この場合、記録ヘッド１２からのインク滴は、貫通孔２０Ｂ２内に臨むインク受面５２ａ上に向かって飛翔する。
【００３６】
一方、記録用紙左右の縁無し印刷を実行する場合には、記録用紙６の左右端縁からはみ出す位置に記録ヘッド１２からインク滴が吐出される。この場合、記録ヘッド１２からのインク滴は、ホームポジション側に位置する右側の貫通孔２０Ａおよびこの貫通孔２０Ａにおける左側の貫通孔２０Ａ（記録用紙６の幅サイズによって決定される貫通孔）内に臨むインク受面５２ａ上に向かって飛翔する。
【００３７】
このため、記録用紙６の上下両端縁および左右両端縁より外側にはみ出る位置において、回転ローラ５２のインク受面５２ａ上に記録ヘッド１２からのインクを受けることができる。この場合、各回転ローラ５２を移動させると、インク受面５２ａ上のインク受け取り位置が可変される。
したがって、本実施形態においては、インク受け（回転ローラ５２）上のインク溜まりを回避することができるため、印刷時に記録用紙６の汚染を防止することができ、印刷上の信頼性を高めることができる。
【００３８】
なお、本実施形態においては、各貫通孔２０Ａ，２０Ｂ１，２０Ｂ２に対して単一の回転ローラ５２を対応させて縁無し印刷を実行する場合について説明したが、本発明はこれに限定されず、図５（ａ）および（ｂ）に示すように複数の回転ローラを対応させても実施形態と同様に縁無し印刷を実行することができる。
【００３９】
この場合、インク受け（回転ローラ）としては、記録用紙６の搬送方向に所定の間隔をもって並列する二つの第一回転ローラ６１，６２およびこれら両回転ローラ６１，６２間に介在する二つの第二回転ローラ６３，６４によって構成されている。このうち第二回転ローラ６３，６４は、用紙ガイド台５１と共に記録用紙６を案内する補助ガイド部材６５を介して記録ヘッド１２の移動方向に並設されている。これにより、記録用紙６（弾力性に比較的乏しい記録用紙）を補助ガイド部材６５によって案内しながら、記録用紙６の上下両端縁および左右両端縁の印刷（縁無し印刷）を実行することができる。
【００４０】
次に、本発明の第二実施形態につき、図６および図７を用いて説明する。図６および図７は、本発明の第二実施形態に係るインクジェット式記録装置の要部を示す側面図と斜視図で、これら図において図２〜図４と同一の部材については同一の符号を付し、詳細な説明は省略する。
図６および図７に示すように、前記用紙ガイド台５１内には、インク受けとしての移動ベルト７２が矢印ｎ方向（図６に図示）に移動自在に配置されている。
この移動ベルト７２は、固定軸７３ａ〜７３ｄおよび伝達ローラ７４に掛け渡された無端ベルトによって形成され、伝達ローラ７４の回転によって移動するように構成されている。
【００４１】
前記固定軸７３ａ〜７３ｄは、前記記録ヘッド１２の移動経路と平行に配置されている。前記固定軸７３ａ，７３ｂは、前記記録ヘッド１２の移動経路近傍であって同一の高さ位置に配置されている。前記固定軸７３ｃ，７３ｄは、前記固定軸７３ａ，７３ｂの下方に所定の間隔をもって配置されている。前記伝達ローラ７４は、前記両固定軸７３ｃ，７３ｄ間の中間位置下方に配置されている。そして、給紙ローラ３５からの回転力が伝達ベルト７５を介して伝達されるように構成されている。
【００４２】
また、前記移動ベルト７２は、前記貫通孔２０Ａ，２０Ｂ１，２０Ｂ２（貫通孔２０Ｂ１，２０Ｂ２は図３に図示）内に臨み、かつ前記ノズル形成面１２ａと平行なインク受面７２ａを有している。これにより、前記記録ヘッド１２からインクを受けることによるインクミストの飛散発生を防止するように構成されている。
【００４３】
そして、記録用紙６の上下・左右はみ出し印刷を実行する場合に、前記ノズル形成面１２ａからのインク滴をインク受面５２ａ上で受けるように構成されている。すなわち、貫通孔２０Ａ内に臨むインク受面７２ａは、記録用紙６の左右にはみ出した位置で記録ヘッド１２から吐出されるインク滴を受けるようになされる。一方、貫通孔２０Ｂ１内に臨むインク受面７２ａは、記録用紙６の上端縁が通過する際、この上端縁をはみ出した位置で記録ヘッド１２から吐出されるインク滴を受けるようになされる。また、貫通孔２０Ｂ２内に臨むインク受面７２ａは、記録用紙６の下端縁が通過する際、この下端縁をはみ出した位置で記録ヘッド１２から吐出されるインク滴を受けるようになされる。
【００４４】
さらに、前記移動ベルト７２は、ウレタンフォーム等の多孔質性部材からなるインク吸収体によって形成されている。そして、記録ヘッド１２から吐出されるインク滴をインク受面７２ａで受けて吸収するように構成されている。
【００４５】
また、前記用紙ガイド台５１内には、前記インク受面７２ａに先端部を押圧接触させるブレイド７６が取り付けられている。このブレイド７６は、前記伝達ローラ７５の近傍に配置されている。そして、前記インク受面７２ａ上に付着したインクを掻き落とすように構成されている。これにより、インク受面７２ａ上のインクがインク掻き落とし位置において掻き落とされ、インク溜まりの発生を確実に防止することができる。
【００４６】
以上の構成により、記録用紙上下の縁無し印刷は、第一実施形態と同様にして実行される。この場合、記録ヘッド１２からのインク滴は、各貫通孔２０Ｂ１，２０Ｂ２内に臨むインク受面７２ａ上に向かって飛翔する。
一方、記録用紙左右の縁無し印刷についても、第一実施形態と同様にして実行される。この場合、記録ヘッド１２からのインク滴は、ホームポジション側に位置する右側（図３）の貫通孔２０Ａおよびこの貫通孔２０Ａにおける左側の貫通孔２０Ａ（記録用紙６の幅サイズによって決定される貫通孔）内に臨むインク受面７２ａ上に向かって飛翔する。
【００４７】
このため、記録用紙６の上下両端縁および左右両端縁より外側にはみ出る位置において、移動ベルト７２のインク受面７２ａ上に記録ヘッド１２からのインクを受けることができる。この場合、各移動ベルト７２を移動させると、インク受面７２ａ上のインク受け取り位置が可変される。
したがって、本実施形態においても、インク受け（移動ベルト７２）上のインク溜まりを回避することができるため、印刷時に記録用紙６の汚染を防止することができ、印刷上の信頼性を高めることができる。
【００４８】
なお、本実施形態においては、各貫通孔２０Ａ，２０Ｂ１，２０Ｂ２に対して単一の移動ベルト７２を対応させて縁無し印刷を実行する場合について説明したが、本発明はこれに限定されず、図８および図９に示すように複数の移動ベルトを対応させても各実施形態と同様に縁無し印刷を実行することができる。
【００４９】
この場合、インク受け（移動ベルト）としては、記録用紙６の搬送方向に所定の間隔をもって並列する二つの第一移動ベルト８１，８２およびこれら両移動ベルト８１，８２間に介在する二つの第二移動ベルト８３，８４によって構成されている。このうち第二移動ベルト８３，８４は、用紙ガイド台５１と共に記録用紙６を案内する補助ガイド部材８５を介して記録ヘッド１２の移動方向に並設されている。これにより、記録用紙６（弾力性に比較的乏しい記録用紙）を補助ガイド部材８５によって案内しながら、記録用紙６の上下両端縁および左右両端縁の印刷（縁無し印刷）を実行することができる。
【００５０】
【発明の効果】
以上の説明で明らかなとおり、本発明に係るインクジェット式記録装置によると、印刷時に記録媒体の汚染を防止することができ、印刷上の信頼性を高めることができる。
【図面の簡単な説明】
【図１】インクジェット式記録装置の全体構成の概略を示す斜視図である。
【図２】本発明の第一実施形態に係るインクジェット式記録装置の全体構成の概略を示す断面図である。
【図３】図２のインクジェット式記録装置に用いられる記録媒体のガイド部材を示す平面図である。
【図４】（ａ）および（ｂ）は、本発明の第一実施形態に係るインクジェット式記録装置の要部を示す断面図とそのインク受けを示す斜視図である。
【図５】（ａ）および（ｂ）は、本発明の第一実施形態に係るインクジェット式記録装置の変形例を示す断面図とそのインク受けを示す斜視図である。
【図６】本発明の第二実施形態に係るインクジェット式記録装置の要部を示す側面図である。
【図７】本発明の第二実施形態に係るインクジェット式記録装置の要部を示す斜視図である。
【図８】本発明の第二実施形態に係るインクジェット式記録装置の変形例を示す側面図である。
【図９】本発明の第二実施形態に係るインクジェット式記録装置の変形例を示す斜視図である。
【符号の説明】
１　　　　　　　　　　　　　　キャリッジ
２　　　　　　　　　　　　　　キャリッジモータ
３　　　　　　　　　　　　　　タイミングベルト
４　　　　　　　　　　　　　　ガイドロッド
５　　　　　　　　　　　　　　プラテン
６　　　　　　　　　　　　　　記録用紙
７　　　　　　　　　　　　　　ブラックインクカートリッジ
８　　　　　　　　　　　　　　カラーインクカートリッジ
９　　　　　　　　　　　　　　キャッピング手段
１０　　　　　　　　　　　　　吸引ポンプ
１１　　　　　　　　　　　　　ワイピング手段
１２　　　　　　　　　　　　　記録ヘッド
１２ａ　　　　　　　　　　　　ノズル形成面
２０Ａ，２０Ｂ１，２０Ｂ２　　貫通孔
２１　　　　　　　　　　　　　ガイド部
２１ａ　　　　　　　　　　　　傾斜面
２２　　　　　　　　　　　　　ガイド部
２２ａ　　　　　　　　　　　　傾斜面
２２ｂ　　　　　　　　　　　　頂面
２３　　　　　　　　　　　　　駆動ローラ
２４　　　　　　　　　　　　　従動ローラ
３５　　　　　　　　　　　　　給紙ローラ
３６　　　　　　　　　　　　　伝達ベルト
３７　　　　　　　　　　　　　押さえローラ
５１　　　　　　　　　　　　　用紙ガイド台
５２　　　　　　　　　　　　　回転ローラ
５２ａ　　　　　　　　　　　　インク受面
５３　　　　　　　　　　　　　ブレイド
５４　　　　　　　　　　　　　廃液タンク
５５　　　　　　　　　　　　　インク吸収保持体
【図１】
2004050406.tif 000003
【図２】
2004050406.tif 000004
【図３】
2004050406.tif 000005
【図４】
2004050406.tif 000006
【図５】
2004050406.tif 000007
【図６】
2004050406.tif 000008
【図７】
2004050406.tif 000009
【図８】
2004050406.tif 000010
【図９】
2004050406.tif 000011